(57)【要約】【課題】簡易に施工でき、意匠性に優れた門柱、門袖、または塀（フェンス）などの構造物を提供する。【解決手段】構造物である門袖１０は、発泡樹脂を含有する複数の樹脂基材１６を備え、固定された構造基体１２と、構造基体１２の一部が露出するように樹脂基材１６の表面に接着され、発泡樹脂を含有する装飾樹脂部材１４ａ，１４ｂと、装飾樹脂部材１４ａ，１４ｂの表面から陥没するように、かつ樹脂基材１６に到達するように設けられたネジと、ネジの表面の陥没部を充填する充填剤を有する。【選択図】図１
0003226383.tif 000002
【実用新案登録請求の範囲】
【請求項１】
発泡樹脂を含有する複数の樹脂基材を備え、固定された構造基体と、
前記構造基体の一部が露出するように前記樹脂基材の表面に接着され、発泡樹脂を含有する装飾樹脂部材と、
を有する構造物。
【請求項２】
請求項１において、
前記装飾樹脂部材の表面から陥没するように、かつ前記樹脂基材に到達するように設けられたネジと、
前記ネジの表面の陥没部を充填する充填剤と、
をさらに有する構造物。
【請求項３】
請求項１または２において、
前記構造基体が壁形状を備え、
門袖または塀である構造物。
【請求項４】
請求項１または２において、
前記構造基体が、側壁と、支柱と、前記側壁および前記支柱で形成される中空部と、前記中空部に設けられ、前記側壁の一部が切り欠かれた部分から被収容物を収容できる収容器を備え、
門柱である構造物。
【考案の詳細な説明】
【技術分野】
【０００１】
本願は、簡易に施工でき、意匠性に優れた門柱、門袖、または塀（フェンス）などの構造物に関するものである。
【背景技術】
【０００２】
壁面に凹凸をつけて、立体感を強調した家屋または塀（フェンス）が、最近よく見かけられる。コンクリートブロックを用いて、凹凸の壁面を備えるフェンスを施工する場合、厚さが異なるコンクリートブロックを組み合わせる必要がある。このため、フェンスの施工に労力を要する。また、曲線を含むような複雑な形状を備えるフェンスは、コンクリートブロックを組み合わせても作製できない。簡易に施工でき、凹凸形状等を含む意匠性に優れたフェンスなどの構造物の出現が望まれている。
【考案の概要】
【考案が解決しようとする課題】
【０００３】
本願の課題は、簡易に施工でき、意匠性に優れた門柱、門袖、または塀（フェンス）などの構造物を提供することである。
【課題を解決するための手段】
【０００４】
本願の構造物は、発泡樹脂を含有する複数の樹脂基材を備え、固定された構造基体と、構造基体の一部が露出するように樹脂基材の表面に接着され、発泡樹脂を含有する装飾樹脂部材とを有する。
【考案の効果】
【０００５】
本願によれば、簡易に施工でき、意匠性に優れた門柱、門袖、または塀（フェンス）などの構造物が得られる。
【図面の簡単な説明】
【０００６】
【図１】第一実施形態の門袖の斜視図。
【図２】第一実施形態の門袖の構造基体と装飾樹脂部材を分離した斜視図。
【図３】第一実施形態の門袖の構造基体に装飾樹脂部材をネジ止めする工程を示す斜視図。
【図４】第一実施形態の門袖の装飾樹脂部材が樹脂基材に深くネジ止めされた状態の断面模式図。
【図５】第二実施形態の門柱の構造基体である門柱基体の正面図。
【図６】第二実施形態の門柱基体の断面模式図。
【図７】第二実施形態の門柱基体の支柱、接合金具、および側壁の上面分解図。
【考案を実施するための形態】
【０００７】
以下、本願の構造物について、門袖および門柱を例として、図面を参照しながら実施形態に基づいて説明する。なお、図面は、門袖および門柱、門袖および門柱を構成する部材、ならびに門袖および門柱の周辺部材を模式的に表したものであり、これらの実物の寸法および寸法比は、図面上の寸法および寸法比と必ずしも一致していない。また、重複説明は適宜省略する。
【０００８】
（第一実施形態）
図１は、本願の第一実施形態の構造物である門袖１０を示している。なお、図１では、横方向が短い門袖１０を用いて、説明をわかりやすくしている。門袖１０は、構造基体１２と、装飾樹脂部材１４ａ，１４ｂを備えている。構造基体１２は、地面、支柱、または梁など（いずれも不図示）に固定されている。構造基体１２は、複数の樹脂基材１６を備えている。樹脂基材１６は発泡樹脂を含有している。第一実施形態では、樹脂基材１６は、外側に露出する部分の表面が塗装された発泡樹脂から構成されている。なお、第一実施形態では、門袖１０の製造には、下地塗装（プライマー）のみ施された樹脂基材１６が用いられている。
【０００９】
そして、樹脂基材１６が設置され、装飾樹脂部材１４ａ，１４ｂが樹脂基材１６の表面に設けられ、さらに必要に応じて、樹脂基材１６と装飾樹脂部材１４ａ，１４ｂの少なくとも一方の表面に、タイル貼り、石貼り、または仕上げ塗装が施される。また、構造基体１２は、端部カバー１８と上部カバー２０をさらに備えている。すなわち、構造基体１２は、樹脂基材１６、端部カバー１８、および上部カバー２０を用いて、地面等に固定されるように組み立てられている。なお、端部カバー１８および上部カバー２０は、樹脂基材１６と同様に、外側に露出する部分の表面が塗装された発泡樹脂から構成されている。
【００１０】
第一実施形態では、下地塗装のみ施された端部カバー１８および上部カバー２０が門袖１０の製造に用いられている。そして、端部カバー１８および上部カバー２０が設置され、装飾樹脂部材１４ａ，１４ｂが樹脂基材１６の表面に設けられ、さらに必要に応じて、端部カバー１８、上部カバー２０、および装飾樹脂部材１４ａ，１４ｂの少なくとも一つの表面に、タイル貼り、石貼り、または仕上げ塗装が施される。なお、樹脂基材１６、端部カバー１８、および上部カバー２０を、形状が異なる樹脂基材と考えてもよい。構造基体１２の組み立て方法は後述する。
【００１１】
装飾樹脂部材１４ａ，１４ｂは、構造基体１２の一部が露出するように、樹脂基材１６の表面に接着剤を介して接着されている。詳細は後述するが、第一実施形態では、装飾樹脂部材１４ａ，１４ｂは、接着剤のほかに、ネジによって樹脂基材１６に固定されている。装飾樹脂部材１４ａ，１４ｂは発泡樹脂を含有している。第一実施形態では、装飾樹脂部材１４ａ，１４ｂは、樹脂基材１６と同様に、外側に露出する部分の表面が塗装された発泡樹脂から構成されている。第一実施形態では、下地塗装のみ施された装飾樹脂部材１４ａ，１４ｂが門袖１０の製造に用いられている。
【００１２】
そして、装飾樹脂部材１４ａ，１４ｂが構造基体１２に接着され、さらに必要に応じて、構造基体１２と装飾樹脂部材１４ａ，１４ｂの少なくとも一方の表面に、タイル貼り、石貼り、または仕上げ塗装が施される。なお、第一実施形態では、門袖１０が長方形板状の二つの装飾樹脂部材１４ａ，１４ｂを備えているが、装飾樹脂部材が樹脂基材１６に接着できれば、装飾樹脂部材の材質、形状、厚さ、大きさ、数量、および表面の色または模様などは特に制限がない。また、第一実施形態では、構造基体１２が壁形状を備え、構造物が門袖１０であるが、これに代えて、構造物が塀（フェンス）であってもよい。
【００１３】
つぎに、門袖１０の作製方法について説明する。図２は、門袖１０の構造基体１２と装飾樹脂部材１４ａ，１４ｂを分離した状態を示している。図３は、樹脂基材１６、端部カバー１８、または上部カバー２０に、装飾樹脂部材１４ａ，１４ｂをネジ止めする工程を説明している。図４は、装飾樹脂部材１４ａが樹脂基材１６にネジ止めされた状態の断面を模式的に示している。まず、図２に示すように、構造基体１２を地面などに固定する。構造基体１２は、下地塗装のみ施されており、例えば、本出願人による特許第６５１０７１５号または実用新案登録第３２１１０８１号に記載された方法によって地面などに固定される。
【００１４】
構造基体１２を新設するのではなく、既存の構造基体１２を使用してもよい。つぎに、装飾樹脂部材１４ａ，１４ｂを用意する。装飾樹脂部材１４ａ，１４ｂは、例えば、樹脂基材１６、端部カバー１８、および上部カバー２０と同じ材質の板状体から切り出して作製する。なお、装飾樹脂部材１４ａ，１４ｂの板状体からの切り離し断面には、樹脂基材１６の表面の下地塗装と同じ下地塗装を施すことが好ましい。そして、装飾樹脂部材１４ａ，１４ｂの構造基体１２と接する面の少なくとも一部に、接着剤を塗布する。その後、図３に示すように、装飾樹脂部材１４ａ，１４ｂと樹脂基材１６、端部カバー１８、および上部カバー２０を接合する。
【００１５】
このとき、樹脂基材１６同士の間、端部カバー１８同士の間、上部カバー２０同士の間、樹脂基材１６と端部カバー１８の間、樹脂基材１６と上部カバー２０の間、および端部カバー１８と上部カバー２０の間に、わずかな段差が形成されることがある。この段差によって、構造基体１２と装飾樹脂部材１４ａ，１４ｂの間に隙間が形成される。この隙間によって、装飾樹脂部材１４ａ，１４ｂが構造基体１２全体に密着しない場合がある。そこで、図３に示すように、ネジＳを用いて、装飾樹脂部材１４ａ，１４ｂと樹脂基材１６、端部カバー１８、および上部カバー２０を強固に接合する。このとき、ネジＳは、装飾樹脂部材１４ａ，１４ｂの表面より奥に差し込む。
【００１６】
すなわち、図４に示すように、装飾樹脂部材１４ａ，１４ｂの表面から陥没するように、かつ樹脂基材１６、端部カバー１８、または上部カバー２０に到達するようにネジＳを設ける。このように、ネジＳを深く差し込むことによって、構造基体１２と装飾樹脂部材１４ａ，１４ｂの間が締め付けられ、構造基体１２と装飾樹脂部材１４ａ，１４ｂの間の隙間がほぼなくなり、構造基体１２と装飾樹脂部材１４ａ，１４ｂが全体的に密着する。また、ネジＳを使用することによって、構造基体１２と装飾樹脂部材１４ａ，１４ｂの接着時に、装飾樹脂部材１４ａ，１４ｂが重力で下がるのを防げる。
【００１７】
なお、装飾樹脂部材１４ａ，１４ｂ、樹脂基材１６、端部カバー１８、および上部カバー２０が発泡樹脂から構成されているので、装飾樹脂部材１４ａ，１４ｂにネジＳを深く差し込める。また、装飾樹脂部材１４ａ，１４ｂは、既存の構造基体１２にも接着できるので、既存の構造基体１２のデザインが容易に変更できる。図４に示すように、ネジＳの表面の陥没部を充填剤２２で充填することが好ましい。金属製のネジＳの腐食が抑えられ、装飾樹脂部材１４ａ，１４ｂの表面と同じ色と質感の充填剤２２を用いれば、ネジＳの穴がほとんどわからないからである。充填剤２２としては、例えば変性シリコーンが挙げられる。
【００１８】
そして、必要に応じて、構造基体１２と装飾樹脂部材１４ａ，１４ｂの少なくとも一方の表面に、石貼り、タイル貼り、または仕上げ塗装が施される。こうして、図１に示す門袖１０が簡易に製造できる。構造基体１２の表面に装飾樹脂部材１４ａ，１４ｂを接着することで、装飾樹脂部材１４ａ，１４ｂの部分で表面が平坦となる。このため、装飾樹脂部材１４ａ，１４ｂの表面が塗装しやすくなったり、装飾樹脂部材１４ａ，１４ｂの表面に石またはタイルなどが貼り付けやすくなったりして、門袖１０の仕上がりがよくなる。
【００１９】
（第二実施形態）
図５は、本願の第二実施形態の構造物である門柱の構造基体である門柱基体３０の正面を示している。門柱基体３０は、下部が埋設された状態で使用される。門柱基体３０は、四枚の側壁３２と、四本の支柱３４と、中空部３６と、蓋体３８と、収容器であるポスト４０と、表札４２と、インターホン４４を備えている。図６は、門柱基体３０のポスト４０の上下方向の中央の水平断面を模式的に示している。側壁３２は、外側に露出する部分の表面が塗装された発泡樹脂から構成されている。なお、第二実施形態では、門柱基体３０の製造には、下地塗装（プライマー）のみ施された側壁３２が用いられている。そして、側壁３２が設置された後に装飾樹脂部材が設けられ、必要に応じて、側壁３２と装飾樹脂部材の少なくとも一方の表面に、タイル貼り、石貼り、または仕上げ塗装が施される。
【００２０】
中空部３６は側壁３２および支柱３４で形成される。すなわち、四枚の側壁３２と四本の支柱３４は、中空部３６を周回するようにこの中空部３６の側面に設けられている。ポスト４０は、側壁３２の一部が切り欠かれた部分から、被収容物ある郵便物、新聞、または回覧板などを収容できるように中空部３６に設けられている。より具体的には、正面の側壁３２に長方形の切り欠き部が形成されており、この切り欠き部からポスト４０が中空部３６に設置されている。そして、この切り欠き部で現れているポスト４０の差入口４０ａから、郵便物などの被収容物がポスト４０に入れられるようになっている。
【００２１】
なお、第二実施形態では、挟み込むようにポスト４０を固定する一対の補強金具４６が、横桟４７を介して、前後に隣り合う二つの支柱３４に取り付けられている。また、収容器としては、ポスト４０以外にも、被収容物である配達物を収容する宅配ボックスなどが挙げられる。図７は、図６の左下の支柱３４と、この支柱３４に取り付けられる接合金具４８と、支柱３４の突出部３４ａと接合金具４８に端が挟まれるように装着される側壁３２を上面から示している。支柱３４と接合金具４８の間に装着された側壁３２は、横桟４７などによって、水平方向への移動が制限されている。
【符号の説明】
【００２２】
１０    門袖
１２    構造基体
１４ａ，１４ｂ  装飾樹脂部材
１６    樹脂基材、
１８    端部カバー
２０    上部カバー
２２    充填剤
３０    門柱基体
３２    側壁
３４    支柱
３６    中空部
３８    蓋体
４０    ポスト
４０ａ  差入口
４２    表札
４４    インターホン
４６    補強金具
４７    横桟
４８    接合金具
５０    抑え金具
Ｓ      ネジ
【図１】
0003226383.tif 000003
【図２】
0003226383.tif 000004
【図３】
0003226383.tif 000005
【図４】
0003226383.tif 000006
【図５】
0003226383.tif 000007
【図６】
0003226383.tif 000008
【図７】
0003226383.tif 000009